(57)【要約】【課題】  保存後の中間データの使用用途を、入力されるジョブ種別、ジョブ種毎に管理される保存領域に応じて判定し、データサイズが最小になるように、中間データの保存データサイズを最適化できる画像処理装置を提供する。【解決手段】  中間データ内のオブジェクトを、ページ内に描画されるオブジェクトの形状、重なり方に応じて、オブジェクト単位で複数の形式にベクタライズ処理（最適化処理）を行って保存する。【選択図】  図１
2010105191.tif 000002
【特許請求の範囲】
【請求項１】
ＰＤＬプリントジョブを実行する画像処理装置であって、
ＰＤＬデータ内の各オブジェクトを、オブジェクト単位で複数レベルの解像度非依存データ（ベクタデータ）に変換する手段と、
解像度非依存データ（ベクタデータ）生成時に得られる副次情報を、印刷処理されない付加情報として付加情報データ（メタデータ）に変換する手段と、
入力されるジョブ種別毎に、解像度非依存データ（ベクタデータ）の保存先を判定する手段と、
上記判定結果に基づいて、各オブジェクトをどのレベルの簡略化した解像度非依存データ（ベクタデータ）へ変換するか、切り替え制御する手段と、
切り替え制御された複数レベルの解像度非依存データ（ベクタデータ）からなるドキュメントデータを保存管理する手段と、を有することを特徴とする画像処理装置。
【請求項２】
請求項１に記載の画像処理装置であって、
解像度非依存データ（ベクタデータ）の保存先が、実行するジョブのアーカイブログ保存領域であることを特徴とする画像処理装置。
【請求項３】
請求項１に記載の画像処理装置であって、
解像度非依存データ（ベクタデータ）の保存先が、ユーザの出力指示待ちのための一時保存領域であることを特徴とする画像処理装置。
【請求項４】
請求項１〜請求項３のいずれかに記載の画像処理装置であって、
他の画像処理装置から送信される解像度非依存データ（ベクタデータ）を、送信元の解像度非依存データ（ベクタデータ）と異なるレベルの簡略化した解像度非依存データ（ベクタデータ）へ変換制御する手段と、
変換制御された複数レベルの解像度非依存データ（ベクタデータ）からなるドキュメントデータを保存管理する手段と、を有することを特徴とする画像処理装置。
【発明の詳細な説明】
【技術分野】
【０００１】
本発明は、画像処理装置に関するものである。
【背景技術】
【０００２】
従来、特許文献１に開示されているように、中間データに対する編集処理（拡大縮小等）が必要な場合は編集用中間データ（ベクタデータ）を生成し、編集処理が必要ない場合はラスタ変換用中間データ（エッジリスト）を生成するように制御していた。
【０００３】
ここで、切り替え制御は、ＰＤＬプリントジョブの入力時（プリフライトチェック処理時）に、印刷設定（N−ｕｐ、製本処理等）に応じて行われていた。
【０００４】
それにより、プリフライトチェックを行ってから印刷出力を行うＰＤＬプリントジョブにおいて、プリフライト処理時に生成した中間データを利用してレンダリング処理を行うことで、印刷出力時のインタプリタ処理を省略して印刷処理を高速化していた。
【特許文献１】特開２００５−１９６６７９号公報
【発明の開示】
【発明が解決しようとする課題】
【０００５】
しかしながら、上記従来例、特許文献１に開示の画像処理装置では、複数の形式の中間データのどちらを保存するかを印刷設定に応じて、切り替えていた。
【０００６】
また、編集用中間データ（ベクタデータ）は１つの形式だけであった。
【０００７】
そのため、ページ内に描画されるオブジェクトの形状、重なり方によって、生成される中間データのサイズが膨大になるという問題があった。
【０００８】
そこで、本発明は、保存後の中間データの使用用途を、入力されるジョブ種別、ジョブ種毎に管理される保存領域に応じて判定し、また、中間データ内のオブジェクトを、ページ内に描画されるオブジェクトの形状、重なり方に応じて、データサイズが最小になるように、オブジェクト単位で複数の形式にベクタライズ処理（最適化処理）を行って保存することで、中間データの保存データサイズを最適化できる画像処理装置を提供する、ことを目的とする。
【課題を解決するための手段】
【０００９】
上記目的を達成するために、本発明の、
ＰＤＬプリントジョブを実行する画像処理装置は、
ＰＤＬデータ内の各オブジェクトを、オブジェクト単位で複数レベルの解像度非依存データ（ベクタデータ）に変換する手段と、
解像度非依存データ（ベクタデータ）生成時に得られる副次情報を、印刷処理されない付加情報として付加情報データ（メタデータ）に変換する手段と、
入力されるジョブ種別毎に、解像度非依存データ（ベクタデータ）の保存先を判定する手段と、
上記判定結果に基づいて、各オブジェクトをどのレベルの簡略化した解像度非依存データ（ベクタデータ）へ変換するか、切り替え制御する手段と、
切り替え制御された複数レベルの解像度非依存データ（ベクタデータ）からなるドキュメントデータを保存管理する手段と、を有することを特徴とする。
【００１０】
また、解像度非依存データ（ベクタデータ）の保存先が、実行するジョブのアーカイブログ保存領域であることを特徴とする。
【００１１】
また、解像度非依存データ（ベクタデータ）の保存先が、ユーザの出力指示待ちのための一時保存領域であることを特徴とする。
【００１２】
また、他の画像処理装置から送信される解像度非依存データ（ベクタデータ）を、送信元の解像度非依存データ（ベクタデータ）と異なるレベルの簡略化した解像度非依存データ（ベクタデータ）へ変換制御する手段と、変換制御された複数レベルの解像度非依存データ（ベクタデータ）からなるドキュメントデータを保存管理する手段と、を有することを特徴とする。
【発明の効果】
【００１３】
以上のように本発明によれば、
保存後の中間データの使用用途を、入力されるジョブ種別、ジョブ種毎に管理される保存領域に応じて判定し、また、中間データ内のオブジェクトを、ページ内に描画されるオブジェクトの形状、重なり方に応じて、データサイズが最小になるように、オブジェクト単位で複数の形式にベクタライズ処理（最適化処理）を行って保存することで、中間データの保存データサイズを最適化できる画像処理装置を提供することが出来、ユーザの利便性を向上させることができる。
【発明を実施するための最良の形態】
【００１４】
次に、本発明の詳細を実施例の記述に従って説明する。
【実施例１】
【００１５】
図１は本発明を適用できる画像処理システムの構成を示す図である。
【００１６】
図１において、画像処理装置Ａ１０００は、情報処理装置Ａ（クライアント装置）２０００、他の画像処理装置Ｂ１００１と、ネットワーク４０００を介して接続されている。情報処理装置Ａ（クライアント装置）２０００は、ＣＰＵ、ディスプレイ、キーボード、マウス、ハードディスク、メモリ、ネットワーク通信用のインタフェース等を有する市販のコンピュータを使用することができる。
【００１７】
画像処理装置Ａ１０００は、外部とのジョブデータの送受信を行うＩ／Ｆ部１０１、ユーザからの指示要求を直接受け付ける操作部１０２、ジョブデータの各種制御を行うジョブ制御部１０３、画像信号を画像形成して印刷出力を行う印刷部１０４から構成されている。
【００１８】
ここで、ジョブ制御部１０３において、ジョブ情報解析部１０５は、ジョブデータの各ジョブ属性の解析処理を行う。
【００１９】
ページデータ解析部１０６は、ジョブデータの各ページデータを解析し、オブジェクト単位のベクタデータ（ディスプレイリストなど）へ変換処理を行う。また、ページデータ解析部１０６は、変換処理されたベクタデータをＲＡＭなどのメモリの専用領域へ蓄積保存する。
【００２０】
データ描画部１０７は、蓄積保存されたオブジェクト単位のベクタデータから、ページ単位のビットマップデータへ変換処理を行う。
【００２１】
出力制御部１０８は、ページ単位のビットマップデータをビデオ信号へ変換処理して、印刷部１０４の画像形成、給紙処理に同期して画像転送処理を行う。
【００２２】
画像認識部１０９は、ビットマップデータの解析処理を行って、テキスト、グラフィックス、ラスターイメージ等のオブジェクト認識を行う。また、画像認識部１０９は、画像変換部１１０と連携して、アウトラインパスの検出及びビットマップパターンへの変換、ラスターイメージからの文字パターン検出及びベクタライズ処理を行う。また、画像認識部１０９は、検出した文字パターンから文字情報の抽出処理を行う。
【００２３】
画像変換部１１０は、ビットマップデータの解像度変換、印刷部１０４の特性に合わせた画像補正、階調処理等の各種画像変換処理を行う。
【００２４】
メタデータ生成部１１１は、ページデータ解析部１０６で解析されたテキストオブジェクトに対する文字情報や、画像認識部１０９で抽出された文字情報からメタデータの生成処理を行う。
【００２５】
中間データ生成部１１２は、ページデータ解析部１０６で変換処理、または画像認識部１０９でベクタライズ処理されたベクタデータと、メタデータ生成部１１１で生成処理されたメタデータから中間データファイルの生成処理を行う。
【００２６】
ファイル管理部１１３は、中間データ生成部１１２で生成された中間データファイルの保存管理を行う。また、ファイル管理部１１３は、Ｉ／Ｆ部１０１を介して、図示しないサーバ装置へ中間データファイルの送信処理を行う。
【００２７】
中間データ解析部１１４は、中間データ生成部１１２で生成された中間データファイルや、他の画像処理装置Ｂ１００１から送信される中間データファイルを解析し、オブジェクト単位でディスプレイリストへ変換処理を行う。また、中間データ解析部１１４は、操作部１０２などから入力される検索用キーワードに基づいて、ファイル管理部１１３に保存された中間データファイルからメタデータの検索処理を行う。
【００２８】
ここで、他の画像処理装置Ｂ１００１も画像処理装置Ａ１０００と同様の構成である。
【００２９】
図２は画像処理装置Ａ１０００において、情報処理装置Ａ（クライアント装置）２０００から送信されたＰＤＬ（ページ記述言語）プリントジョブを印刷処理し、中間データファイルをログ保存する処理を示すデータフロー図である。
【００３０】
図２において、ページデータ解析部１０６は、受信したＰＤＬデータの解析処理を行い、オブジェクト単位で、ＰＤＬに拠らない共通のベクタデータへの変換処理を行う。（Ｓ２０１）
また、ページデータ解析部１０６は、変換処理されたベクタデータをＲＡＭなどのメモリの専用領域へ一時保存する。（Ｓ２０２）
また、ページデータ解析部１０６は、ＰＤＬデータのテキストオブジェクトから文字情報の抽出処理を行う。また、メタデータ生成部１１１は、抽出された文字情報からメタデータの生成処理を行う。（Ｓ２０９）
次に、ページデータ解析部１０６は、変換処理されたベクタデータから、レンダリングに適したディスプレイリスト（ＤＬ）を生成処理する。（Ｓ２０３）
また、ページデータ解析部１０６は、生成されたディスプレイリスト（ＤＬ）をＲＡＭなどのメモリの専用領域へ蓄積保存する。（Ｓ２０４）
次に、データ描画部１０７は、蓄積保存されたディスプレイリスト（ＤＬ）から、ページ単位のビットマップデータへ変換処理を行う。（Ｓ２０５）
また、データ描画部１０７は、変換処理されたビットマップデータを、ＨＤＤなどのメモリの専用領域へ蓄積保存する。（Ｓ２０６）
次に、出力制御部１０８は、ページ単位のビットマップデータをビデオ信号へ変換処理して、印刷部１０４から印刷出力処理を行う。（Ｓ２０７）
次に、画像認識部１０９は、蓄積保存されたビットマップデータから文字パターン検出し、検出した文字パターンから文字情報の抽出処理を行う。また、メタデータ生成部１１１は、抽出された文字情報からメタデータの生成処理を行う。（Ｓ２０８）
また、メタデータ生成部１１１は、生成されたメタデータをＲＡＭなどのメモリの専用領域へ一時保存する。（Ｓ２１０）
次に、中間データ生成部１１２は、ページデータ解析部１０６で変換処理されたベクタデータと、メタデータ生成部１１１で生成処理されたメタデータから中間データファイルの生成処理を行う。（Ｓ２１１）
また、中間データ生成部１１２は、生成された中間データファイルをＲＡＭなどのメモリの専用領域へ一時保存する。（Ｓ２１２）
次に、ファイル管理部１１３は、中間データ生成部１１２で生成された中間データファイルをログデータとして蓄積保存する。（Ｓ２１３）
図３は本発明を適用できる、中間データファイルのデータ構造を示す図である。
【００３１】
図３において、中間データファイルは複数ページからなるデータであり、大きく分けるとベクタデータ３０１、メタデータ３０２、ディスプレイリスト領域３０３、で構成されており、ドキュメントヘッダ３０４を先頭とする階層構造である。
【００３２】
ベクタデータ３０１はさらに、ページヘッダ３０５、コンテンツ情報３０６、オブジェクト３０７で構成されている。
【００３３】
メタデータ３０２はこのドキュメントが持つ各種付加情報が格納される。
【００３４】
ディスプレイリスト領域３０３はさらに、ページヘッダ３１２と描画展開用のインストラクション３１３から構成されている。
【００３５】
ドキュメントヘッダ３０４にはベクタデータの格納場所、ディスプレイリスト領域の格納場所、メタデータの格納場所が記述されている。すなわち、ベクタデータ、ディスプレイリスト、メタデータはドキュメントヘッダ３０４によって関連付けられている。
【００３６】
ベクタデータ３０１は解像度非依存な描画データであるので、ページヘッダ３０５はページの大きさや向きなどのレイアウト情報が記述される。
【００３７】
オブジェクト３０７にはテキスト、ライン、多角形、ベジェ曲線などの描画データが一つずつリンクされており、複数のオブジェクトがまとめてコンテンツ情報３０６に関連付けられている。
【００３８】
コンテンツ情報３０６は複数のオブジェクトの特徴をまとめて表現するものである。
【００３９】
メタデータ３０２は描画処理には関係しない制御用の付加情報である。本実施例においては、ページデータ解析部１０６や画像認識部１０９で抽出された検索用文字情報を設定することが可能である。
【００４０】
ディスプレイリスト領域３０３はデータ描画部１０７がレンダリング処理するための中間コードである。ページヘッダ３１２にはページ内の描画情報（インストラクション）の管理テーブルなどが記述され、インストラクション３１３は解像度依存な描画情報で構成されている。
【００４１】
また、ディスプレイリスト領域３０３は、中間データ解析部１１４において、ベクタデータ３０１から変換可能なので、ファイル管理部１１３に蓄積保存される中間データファイルとして省略可能である。
【００４２】
図４は画像処理装置Ａ１０００において、検索用メタデータと最適化（簡易ベクタライズ処理）されたベクタデータからなるログデータを保存管理する処理を示す図である。
【００４３】
図４において、情報処理装置Ａ（クライアント装置）２０００からＰＤＬプリントジョブが送信される。ＰＤＬプリントジョブの描画内容は４０６に示すように３つのオブジェクト（円、星形、矩形）からなる。
【００４４】
この時、３つのオブジェクトは、それぞれ、独立したグラフィックスコマンドで構成され、他のオブジェクトの背景に隠れる部分も含めて、描画情報として保持されている。
【００４５】
画像処理装置Ａ１０００において、送信されたＰＤＬプリントジョブはジョブ制御部１０３及び印刷部１０４から印刷出力される。印刷出力される印字画像は４０７に示すようにＰＤＬプリントジョブで指定される３つのオブジェクト（円、星形、矩形）からなる。
【００４６】
また、画像処理装置Ａ１０００において、印刷出力された印字画像を示す中間データファイルがファイル管理部１１３のログ専用領域４０３へ蓄積保存される。
【００４７】
ファイル管理部１１３には、ログ専用領域４０３の他に、一時保存領域４０１やユーザデータ保存領域４０２がある。
【００４８】
ログ専用領域４０３へ蓄積保存される中間データファイルは、検索用メタデータ４０４と、ログ再印刷に最適化されたベクタデータ４０５から構成される。
【００４９】
ベクタデータ４０５は、印字画像４０７のみを再現可能なように、３つのオブジェクトの位置関係、重なり方、各オブジェクトの相対的な大きさは固定化されている。
【００５０】
また、他のオブジェクトの背景に隠れて印字されない部分（不可視部分）は除去されて、ベクタデータのデータサイズを削減している。
【００５１】
ログ専用領域４０３に蓄積保存された中間データファイルは、操作部１０２等からのユーザ指示により再印刷出力が可能である。再印刷出力される印字画像は４０８に示すように、印刷出力された印字画像４０７と同一の画像が印字出力される。
【００５２】
次に、このように構成された画像処理装置Ａ１０００において、ベクタデータ３０１について、ベクタライズ処理を切り替えて保存する処理について図５のフローチャートを用いて説明する。
【００５３】
まず、中間データ生成部１１２において、操作部１０２または情報処理装置Ａ（クライアント装置）２０００から設定されている、最適化処理の閾値（Ｓ１、Ｓ２）を読み出す処理を行う。（Ｓ５０１）次に、中間データ生成部１１２において、ジョブ情報解析部１０５において解析処理されたジョブ属性から、再編集用のベクタデータが必要かどうか判定処理を行う。（Ｓ５０２）
ここで、再編集用のベクタデータが必要と判定された場合には、ページデータ解析部１０６で生成された詳細ベクタデータを中間データファイルに保存する。（Ｓ５０７）
再編集用のベクタデータが必要ではない、と判定された場合には、中間データ生成部１１２において、オブジェクトの重なり量と閾値Ｓ１との比較を行い、背景オブジェクトの不可視部分を除去するかどうか判定処理を行う。（Ｓ５０３）
ここで、オブジェクトの重なり量は、ページデータ解析部１０６において生成されるコンテンツ情報に含まれている。
【００５４】
ここで、オブジェクトの重なり量が閾値Ｓ１より小さい場合は、不可視部分のデータ量が僅かであると判定し、不可視部分の除去を省略して、ページデータ解析部１０６で生成された詳細ベクタデータを中間データファイルに保存する。（Ｓ５０７）
これにより、不可視部分データサイズが軽微である場合には、不可視部分除去処理を省略して、中間データファイル生成を高速に行うことができる。
【００５５】
オブジェクトの重なり量が閾値Ｓ１以上である場合は、不可視部分の除去処理を行う。（Ｓ５０４）
次に、中間データ解析部１１４において、不可視部分除去後のオブジェクトのベクタデータ（簡易ベクタデータ）サイズと閾値Ｓ２との比較を行い、簡易ベクタデータを保存するかどうか判定処理を行う。（Ｓ５０５）
ここで、簡易ベクタデータのサイズが閾値Ｓ２より大きい場合には、ページデータ解析部１０６で生成された詳細ベクタデータを中間データファイルに保存する。（Ｓ５０７）
簡易ベクタデータのサイズが閾値Ｓ２以下である場合には、不可視部分を除去した簡易ベクタデータを中間データファイルに保存する。（Ｓ５０６）
これにより、オブジェクトの重なり部分の形状により、不可視部分の除去によりエッジ数が増え、オブジェクトデータが複雑化してデータ量が増えてしまう場合に、中間データファイルのデータサイズが増えることを防止できる。
【００５６】
ここで、図６は、簡易ベクタデータと詳細ベクタデータの関係を示す図である。
【００５７】
図６において、（Ａ）は簡易ベクタデータで、背景オブジェクトであるオブジェクト＃１０（６０１）は、不可視部分が除去されたオブジェクトデータとして保存されている。
【００５８】
（Ｂ）は詳細ベクタデータで、背景オブジェクトであるオブジェクト＃１０（６０２）も、不可視部分も含めてグラフィックスオブジェクトデータとして保存されている。
【００５９】
以上、保存後の中間データの使用用途を、入力されるジョブ種別及びジョブ種毎に管理される保存領域に応じて判定する。また、中間データ内のオブジェクトを、ページ内に描画されるオブジェクトの形状、重なり方に応じて、ベクタライズ処理（最適化処理）する。ここで、データサイズが最小になるように、オブジェクト単位で複数の形式にベクタライズ処理（最適化処理）を行って保存することで、中間データの保存データサイズを最適化することが可能になる。
【実施例２】
【００６０】
前記実施例において、ログ保存される中間データファイルについて、中間データファイルの保存データサイズの最適化を行っていた。
【００６１】
ログ保存される中間データファイルの他に、一時保存される中間データファイルの保存データサイズの最適化を行うように構成することもできる。
【００６２】
図７は画像処理装置Ａ１０００において、最適化（簡易ベクタライズ処理）されたベクタデータとディスプレイリストからなる一時保存データを保存管理する処理を示す図である。
【００６３】
図７において、情報処理装置Ａ（クライアント装置）２０００からＰＤＬプリントジョブが送信される。ＰＤＬプリントジョブの描画内容は７０３に示すように３つのオブジェクト（円、星形、矩形）からなる。
【００６４】
この時、ＰＤＬプリントジョブは情報処理装置Ａ（クライアント装置）２０００からセキュアジョブ指定されている。セキュアジョブ指定は、ジョブ情報として保持されている。
【００６５】
画像処理装置Ａ１０００において、印刷出力する印字画像を示す中間データファイルが、パスワード入力待ちのために、ファイル管理部１１３の一時保存領域４０１へ蓄積保存される。
【００６６】
一時保存領域４０１へ蓄積保存される中間データファイルは、高速出力用のディスプレイリスト７０２と、Ｎｕｐ等の印刷設定変更による出力用に最適化されたベクタデータ７０１から構成される。
【００６７】
ベクタデータ７０１は、印字画像７０３のみを再現可能なように、３つのオブジェクトの位置関係、重なり方、各オブジェクトの相対的な大きさは固定化されている。
【００６８】
また、他のオブジェクトの背景に隠れて印字されない部分（不可視部分）は除去されて、ベクタデータのデータサイズを削減している。
【００６９】
一時保存領域４０１に蓄積保存された中間データファイルは、操作部１０２等からのユーザ指示により印刷出力が可能である。印刷出力される印字画像は７０４に示すように、印字画像７０３と同一の画像が印字出力される。
【実施例３】
【００７０】
前記実施例において、ＰＤＬプリントジョブを受信した画像処理装置Ａ１０００において、中間データファイルの保存データサイズの最適化を行っていた。
【００７１】
ＰＤＬプリントジョブの他に、他の画像処理装置Ｂ１００１において、画像処理装置Ａ１０００から送信される中間データファイルの保存データサイズの最適化を行うように構成することもできる。
【００７２】
図８は他の画像処理装置において、最適化（簡易ベクタライズ処理）されたベクタデータとディスプレイリストからなる一時保存データを保存管理する処理を示す図である。
【００７３】
図８において、情報処理装置Ａ（クライアント装置）２０００からＰＤＬプリントジョブが送信される。ＰＤＬプリントジョブの描画内容は８０６に示すように３つのオブジェクト（円、星形、矩形）からなる。
【００７４】
この時、ＰＤＬプリントジョブは情報処理装置Ａ（クライアント装置）２０００からＢＯＸ保存ジョブ指定されている。ＢＯＸ保存ジョブ指定は、ジョブ情報として保持されている。
【００７５】
画像処理装置Ａ１０００において、再編集可能な中間データファイルが、ファイル管理部１１３のユーザデータ保存領域４０２へ蓄積保存される。
【００７６】
ユーザデータ保存領域４０２へ蓄積保存される中間データファイルは、検索用メタデータ８０２と、編集用詳細ベクタデータ８０３から構成される。
【００７７】
ベクタデータ８０３は、様々な再編集が可能なように、３つのオブジェクトが独立している。
【００７８】
また、画像処理装置Ａ１０００のユーザデータ保存領域４０２へ蓄積保存された中間データファイルを、他の画像処理装置Ｂ１００１へ転送して、他の画像処理装置Ｂ１００１から印刷出力することが可能である。
【００７９】
他の画像処理装置Ｂ１００１において、印刷出力する印字画像を示す中間データファイルが、他の画像処理装置Ｂ１００１のファイル管理部８０１の一時保存領域８０８へ蓄積保存される。
【００８０】
一時保存領域８０８へ蓄積保存される中間データファイルは、高速出力用のディスプレイリスト８０５と、Ｎｕｐ等の印刷設定変更による出力用に最適化されたベクタデータ８０４から構成される。
【００８１】
ベクタデータ８０４は、印字画像８０６のみを再現可能なように、３つのオブジェクトの位置関係、重なり方、各オブジェクトの相対的な大きさは固定化されている。
【００８２】
また、他のオブジェクトの背景に隠れて印字されない部分（不可視部分）は除去されて、ベクタデータのデータサイズを削減している。
【００８３】
一時保存領域８０８に蓄積保存された中間データファイルは、他の画像処理装置Ｂ１００１の操作部等からのユーザ指示により印刷出力が可能である。印刷出力される印字画像は８０７に示すように、印字画像８０６と同一の画像が印字出力される。
【図面の簡単な説明】
【００８４】
【図１】本発明を適用できる画像処理システムの構成を示す図である。
【図２】本発明を適用できる、ＰＤＬプリントジョブで中間データファイルをログ保存する処理を示すデータフロー図である。
【図３】本発明を適用できる、中間データファイルのデータ構造を示す図である。
【図４】本発明を適用できる、検索用メタデータと最適化（簡易ベクタライズ処理）されたベクタデータからなるログデータを保存管理する処理を示す図である。
【図５】本発明を適用できる、ベクタデータについて、ベクタライズ処理を切り替えて保存する処理を示すフローチャートである。
【図６】本発明を適用できる、簡易ベクタデータと詳細ベクタデータの関係を示す図である。
【図７】本発明を適用できる、最適化（簡易ベクタライズ処理）されたベクタデータとディスプレイリストからなる一時保存データを保存管理する処理を示す図である。
【図８】本発明を適用できる、他の画像処理装置において、最適化（簡易ベクタライズ処理）されたベクタデータとディスプレイリストからなる一時保存データを保存管理する処理を示す図である。
【符号の説明】
【００８５】
１０００  画像処理装置Ａ
１０５  ジョブ情報解析部
１０６  ページデータ解析部
１１１  メタデータ生成部
１１２  中間データ生成部
１１３  ファイル管理部
１１４  中間データ解析部
【図１】
2010105191.tif 000003
【図２】
2010105191.tif 000004
【図３】
2010105191.tif 000005
【図４】
2010105191.tif 000006
【図５】
2010105191.tif 000007
【図６】
2010105191.tif 000008
【図７】
2010105191.tif 000009
【図８】
2010105191.tif 000010